(57)【要約】【課題】発熱が抑えられる紫外線照射装置を提供する。【解決手段】紫外線照射装置のコントローラユニットは、紫外線ＬＥＤ１３から間欠的又は多段階で紫外線を照射するように出力パワーを設定する制御部２４と、該制御部２４で設定される出力パワーに応じて紫外線ＬＥＤ１３に供給される電流を調整する電流調整部２６と、紫外線ＬＥＤ１３に電圧を供給するＤＣ−ＤＣ部２５と、を備える。ＤＣ−ＤＣ部２５は、紫外線ＬＥＤ１３に供給される電流に基づいて紫外線ＬＥＤ１３に供給する電圧を制御部２４を介して調整する。【選択図】図３
2019029529.tif 000002
【特許請求の範囲】
【請求項１】
紫外線を照射する紫外線ＬＥＤを備えたヘッドと、
前記ヘッドと接続ケーブルによって電気的に接続されて、該接続ケーブルを介して前記紫外線ＬＥＤに電流を供給させて該紫外線ＬＥＤを点灯させるコントローラと、
を備えた紫外線照射装置であって、
前記紫外線ＬＥＤと電気的に接続されて前記紫外線ＬＥＤに供給される電流を検出するための電流検出用抵抗器を有し、
前記コントローラは、前記紫外線ＬＥＤから間欠的又は多段階で紫外線を照射するように出力パワーを設定するパワー設定手段と、該パワー設定手段で設定される出力パワーに応じて前記紫外線ＬＥＤに供給される電流を調整する電流調整手段と、前記紫外線ＬＥＤに電圧を供給する出力電圧供給手段と、を備え、
前記出力電圧供給手段は、前記パワー設定手段により設定される出力パワーに応じて調整された前記紫外線ＬＥＤに供給される電流に基づき、前記紫外線ＬＥＤに供給する電圧を調整することを特徴とする紫外線照射装置。
【請求項２】
請求項１に記載の紫外線照射装置であって、
前記ヘッドは、前記コントローラに対して前記接続ケーブルを介して着脱可能に構成されることを特徴とする紫外線照射装置。
【請求項３】
請求項１又は２に記載の紫外線照射装置において、
前記紫外線ＬＥＤが発光された際の前記紫外線ＬＥＤの電圧を測定する電圧測定手段を備え、
前記出力電圧供給手段は、前記パワー設定手段により設定される出力パワーに応じて調整された前記紫外線ＬＥＤに供給される電流に基づいて変化する前記電圧測定手段によって測定された電圧に応じて前記紫外線ＬＥＤへの電圧を調整することを特徴とする紫外線照射装置。
【請求項４】
請求項１又は２に記載の紫外線照射装置において、
前記電流検出用抵抗器並びに前記紫外線ＬＥＤの電圧を測定する電圧測定手段を備え、
前記出力電圧供給手段は、前記パワー設定手段により設定される出力パワーに応じて調整された前記紫外線ＬＥＤに供給される電流に基づいて変化する前記電圧測定手段によって測定された電圧に応じて前記紫外線ＬＥＤへの電圧を調整することを特徴とする紫外線照射装置。
【請求項５】
請求項３又は４に記載の紫外線照射装置において、
前記出力電圧供給手段は、前記紫外線ＬＥＤの出力パワーの変化時に、予め決められた初期出力電圧を基準として前記電圧測定手段によって測定された電圧に応じて前記紫外線ＬＥＤへの電圧を調整することを特徴とする紫外線照射装置。
【請求項６】
請求項５に記載の紫外線照射装置において、
前記初期出力電圧は、前記紫外線ＬＥＤの出力パワーが最大時の順方向電圧と前記電流検出用抵抗器の両端電圧の和より高い電圧値であることを特徴とする紫外線照射装置。
【請求項７】
請求項６に記載の紫外線照射装置において、
前記初期出力電圧は、前記出力電圧供給手段の最大出力電圧であることを特徴とする紫外線照射装置。
【請求項８】
請求項５に記載の紫外線照射装置において、
前記出力電圧供給手段は、前記紫外線ＬＥＤの出力パワーの変化時において前記紫外線ＬＥＤの出力パワーが下がった場合、出力パワーの変化前における前記出力電圧供給手段から供給される前記紫外線ＬＥＤへの電圧を出力パワー変化後の初期出力電圧として用いることを特徴とする紫外線照射装置。
【発明の詳細な説明】
【技術分野】
【０００１】
本発明は、紫外線照射装置に関するものである。
【背景技術】
【０００２】
従来、紫外線硬化型の接着剤やコーティング剤等の照射対象に対して紫外線を照射して硬化させる紫外線照射装置がある（例えば特許文献１参照）。
特許文献１の紫外線照射装置は、紫外線を照射する紫外線ＬＥＤ（Light Emitting Diode）を備えたヘッドと、該ヘッドとケーブルによって接続されるコントローラとを有する。そして、コントローラからケーブルを介してヘッドの紫外線ＬＥＤに電流供給されることで紫外線ＬＥＤが点灯されるようになっている。
【０００３】
また、このような紫外線照射装置では、紫外線ＬＥＤにおける出力パワーを変更可能に構成されている。より具体的には、コントローラ側に設けられた操作部（特許文献１では設定部）を用いて紫外線ＬＥＤにおける出力パワーを設定し、この設定値に基づいて制御部によって紫外線ＬＥＤに供給される電流量が調整されるようになっている。
【先行技術文献】
【特許文献】
【０００４】
【特許文献１】特開２００６−５１７９０号公報
【発明の概要】
【発明が解決しようとする課題】
【０００５】
ところで、上記のような紫外線照射装置では、紫外線ＬＥＤにおける出力パワーが変更可能であるが、出力パワーを最大にした場合と、出力パワーを最小とした場合（電源オフは除く）とでは紫外線ＬＥＤの順方向電圧に大きな差異が生じることとなる。そして、例えば、紫外線ＬＥＤに対して印加される出力電圧を一定値として固定した場合には、出力電圧と順方向電圧との差が大きくなり、その差が発熱として生じることとなる。
【０００６】
本発明は、上記課題を解決するためになされたものであって、その目的は、発熱が抑えられる紫外線照射装置を提供することにある。
【課題を解決するための手段】
【０００７】
上記課題を解決する紫外線照射装置は、紫外線を照射する紫外線ＬＥＤを備えたヘッドと、前記ヘッドと接続ケーブルによって電気的に接続されて、該接続ケーブルを介して前記紫外線ＬＥＤに電流を供給させて該紫外線ＬＥＤを点灯させるコントローラと、を備えた紫外線照射装置であって、前記紫外線ＬＥＤと電気的に接続されて前記紫外線ＬＥＤに供給される電流を検出するための電流検出用抵抗器を有し、前記コントローラは、前記紫外線ＬＥＤから間欠的又は多段階で紫外線を照射するように出力パワーを設定するパワー設定手段と、該パワー設定手段で設定される出力パワーに応じて前記紫外線ＬＥＤに供給される電流を調整する電流調整手段と、前記紫外線ＬＥＤに電圧を供給する出力電圧供給手段と、を備え、前記出力電圧供給手段は、前記パワー設定手段により設定される出力パワーに応じて調整された前記紫外線ＬＥＤに供給される電流に基づき、前記紫外線ＬＥＤに供給する電圧を調整する。
【０００８】
この構成によれば、出力電圧供給手段は、前記紫外線ＬＥＤに供給される電流に基づいて前記紫外線ＬＥＤに供給する電圧を調整するため、紫外線ＬＥＤに供給する電圧が固定値とならずに可変される。つまり、紫外線ＬＥＤに供給される電流が低いほど紫外線ＬＥＤに供給する電圧を低くすることで無駄な電圧供給が抑えられるため、発熱が抑えられる。
【０００９】
上記紫外線照射装置において、前記ヘッドは、前記コントローラに対して前記接続ケーブルを介して着脱可能に構成されることが好ましい。
この構成によれば、ヘッドがコントローラに対して着脱可能に構成されるため、ピーク波長が異なる紫外線ＬＥＤを利用することができる。
【００１０】
上記紫外線照射装置において、前記紫外線ＬＥＤが発光された際の前記紫外線ＬＥＤの電圧を測定する電圧測定手段を備え、前記出力電圧供給手段は、前記パワー設定手段により設定される出力パワーに応じて調整された前記紫外線ＬＥＤに供給される電流に基づいて変化する前記電圧測定手段によって測定された電圧に応じて前記紫外線ＬＥＤへの電圧を調整することが好ましい。
【００１１】
この構成によれば、電圧測定手段によって測定された紫外線ＬＥＤの順方向電圧に応じて紫外線ＬＥＤへの電圧を調整するため、紫外線ＬＥＤに供給する電圧が固定値とならずに可変される。つまり、紫外線ＬＥＤに供給される電圧が低いほど紫外線ＬＥＤに供給する電圧を低くすることで無駄な電圧供給が抑えられるため、発熱が抑えられる。
【００１２】
上記紫外線照射装置において、前記電流検出用抵抗器並びに前記紫外線ＬＥＤの電圧を測定する電圧測定手段を備え、前記出力電圧供給手段は、前記パワー設定手段により設定される出力パワーに応じて調整された前記紫外線ＬＥＤに供給される電流に基づいて変化する前記電圧測定手段によって測定された電圧に応じて前記紫外線ＬＥＤへの電圧を調整することが好ましい。
【００１３】
この構成によれば、電流検出用抵抗器並びに紫外線ＬＥＤの電圧（抵抗器両端の電圧と紫外線ＬＥＤの電圧の和）に応じて紫外線ＬＥＤへの電圧を調整するため、抵抗器両端の電圧を抵抗器の仕様上の抵抗値と電流値から算出する必要がない。つまり、抵抗器の両端の電圧も計測することで抵抗器の仕様範囲内における抵抗値の誤差に左右されることがなくなるため、より正確な電圧を測定することができる。
【００１４】
上記紫外線照射装置において、前記出力電圧供給手段は、前記紫外線ＬＥＤの出力パワーの変化時に、予め決められた初期出力電圧を基準として前記電圧測定手段によって測定された電圧に応じて前記紫外線ＬＥＤへの電圧を調整することが好ましい。
【００１５】
この構成によれば、予め決められた初期出力電圧を基準とすることで初期時の出力電圧を他の計測値等から算出して決定する必要が無いため、ＣＰＵ等への負担を抑えることができる。
【００１６】
上記紫外線照射装置において、前記初期出力電圧は、前記紫外線ＬＥＤの出力パワーが最大時の順方向電圧と前記電流検出用抵抗器の両端電圧の和より高い電圧値であることが好ましい。
【００１７】
この構成によれば、初期出力電圧は、紫外線ＬＥＤの出力パワーが最大時の順方向電圧と電流検出用抵抗器の両端電圧の和より高い電圧値であるため、紫外線ＬＥＤに供給される電圧が不足することが抑えられるため紫外線ＬＥＤを確実に点灯させることができる。
【００１８】
上記紫外線照射装置において、前記初期出力電圧は、前記出力電圧供給手段の最大出力電圧であることが好ましい。
この構成によれば、初期出力電圧が出力電圧供給手段の最大出力電圧であるため、細かい制御を不要として電圧供給することができる。
【００１９】
上記紫外線照射装置において、前記出力電圧供給手段は、前記紫外線ＬＥＤの出力パワーの変化時において前記紫外線ＬＥＤの出力パワーが下がった場合、出力パワーの変化前における前記出力電圧供給手段から供給される前記紫外線ＬＥＤへの電圧を出力パワー変化後の初期出力電圧として用いることが好ましい。
【００２０】
この構成によれば、紫外線ＬＥＤの出力パワーの変化時において紫外線ＬＥＤの出力パワーが下がった場合に、出力パワーの変化前における前記出力電圧供給手段から供給される前記紫外線ＬＥＤへの電圧を出力パワー変化後の初期出力電圧として用いる。これにより、出力パワー変化後における出力電圧供給手段の初期出力電圧が出力電圧供給手段の最大出力電圧と比べて紫外線ＬＥＤの順方向電圧と近い電圧値であるため、より発熱を抑えることができる。
【発明の効果】
【００２１】
本発明の紫外線照射装置によれば、発熱が抑えられる。
【図面の簡単な説明】
【００２２】
【図１】一実施形態における紫外線照射装置の斜視図である。
【図２】同実施形態における紫外線照射装置の斜視図である。
【図３】同実施形態における紫外線照射装置の電気的構成を示すブロック図である。
【図４】同実施形態における紫外線照射装置の動作例を説明するためのタイミングチャートである。
【図５】同実施形態における紫外線照射装置の動作例を説明するためのタイミングチャートである。
【図６】変形例における紫外線照射装置のメモリテーブルを説明するための説明図である。
【図７】変形例における紫外線照射装置の動作例を説明するためのタイミングチャートである。
【図８】変形例における紫外線照射装置の動作例を説明するためのタイミングチャートである。
【発明を実施するための形態】
【００２３】
以下、紫外線照射装置の一実施形態について説明する。
図１に示すように、紫外線照射装置１は、ヘッドとしての照射ユニット１１とコントローラとしてのコントローラユニット２１とを有する。照射ユニット１１とコントローラユニット２１とは接続ケーブルＣによって接続されている。
【００２４】
（照射ユニット）
照射ユニット１１は、略円筒状の筐体１２の基端側に前記接続ケーブルＣが接続され、筐体１２の先端側に紫外線を照射可能な紫外線ＬＥＤ１３が設けられる。紫外線ＬＥＤ１３は、接続ケーブルＣを介してコントローラユニット２１側から電力供給されることで紫外線が照射可能となっている。
【００２５】
（コントローラユニット）
図１及び図２に示すように、コントローラユニット２１は、筐体２２の側面２２ａから突出するオス型コネクタ２３ａと、前記側面２２ａと反対側の側面２２ｂに設けられるメス型コネクタ２３ｂと、前記照射ユニット１１がケーブルＣを介して接続されるケーブル接続用コネクタ２３ｃとを有する。各コネクタ２３ａ，２３ｂを用いてコントローラユニット２１を他のコントローラユニット２１（図１において破線で図示）と接続することでコントローラユニット２１間での通信が可能とされている。
【００２６】
コントローラユニット２１にケーブル接続用コネクタ２３ｃを設けることで、コントローラユニット２１に対して照射ユニット１１が着脱可能に構成される。これにより、照射ユニット１１を変更することができる。照射ユニット１１の紫外線ＬＥＤ１３として、例えばピーク波長が３６５ｎｍ、３８５ｎｍ、４０５ｎｍなどがある。また、ケーブルＣの長さも２ｍ，５ｍ，１０ｍなどがある。
【００２７】
次に、コントローラユニット２１の電気的構成を説明する。
図３に示すように、コントローラユニット２１の制御部２４は、ＣＰＵ等からなり、ＤＣ−ＤＣ部２５と、電流調整部２６と、操作部２７と、表示部２８と電気的に接続される。
【００２８】
ＤＣ−ＤＣ部２５は、ＤＣ−ＤＣ部２５に供給された入力電圧を変圧して負荷側である紫外線ＬＥＤ１３側に供給する出力電圧Ｖｏｕｔを生成するＤＣ／ＤＣコンバータである。本例のＤＣ−ＤＣ部２５は、例えば２４Ｖの直流電圧を降圧して紫外線ＬＥＤ１３に供給する。ＤＣ−ＤＣ部２５は、制御部２４によって設定された出力電圧Ｖｏｕｔを紫外線ＬＥＤ１３（負荷）側に出力する。ＤＣ−ＤＣ部２５の負荷側にはスイッチング素子２９、電流検出用抵抗器３０、紫外線ＬＥＤ１３が接続される。紫外線ＬＥＤ１３は、接地されている。
【００２９】
ＤＣ−ＤＣ部２５の出力電圧（供給電圧）Ｖｏｕｔの最大値は、紫外線照射装置１の仕様範囲において紫外線ＬＥＤ１３の順方向電流Ｉｆを最大にした際の電圧値Ｖｍａｘと、後述する電流検出用抵抗器３０における電圧Ｖｒ等を勘案して設定されている。ＤＣ−ＤＣ部２５の出力電圧Ｖｏｕｔの最大値は、紫外線ＬＥＤ１３に対して順方向電流を最大にした際の電圧値Ｖｍａｘに対して比較的近似した値となるように設定されており、無駄な電力消費並びに発熱が生じることが抑えられている。
【００３０】
スイッチング素子２９は、例えばＦＥＴ（電界効果トランジスタ：Field effect transistor）やバイポーラトランジスタを採用することができる。
電流調整部２６は、スイッチング素子２９のオン／オフの切り換えを行って出力パワーを調整する。また、電流調整部２６は、スイッチング素子２９の負荷側と紫外線ＬＥＤ１３のアノード側との間に接続される電流検出用抵抗器３０の電流Ｉｒを検出する。ここで、電流検出用抵抗器３０に流れる電流Ｉｒは電流検出用抵抗器３０と直列接続される紫外線ＬＥＤ１３の順方向電流Ｉｆと同じ電流値となるため、電流Ｉｒを検出することで、実質的に紫外線ＬＥＤ１３に流れる電流（順方向電流）Ｉｆを監視することが可能となっている。
【００３１】
また、制御部２４は、図示しない電力測定部によって紫外線ＬＥＤ１３に供給される順方向電圧Ｖｆを測定する。
ここで、一般的に紫外線ＬＥＤ１３を駆動させる駆動回路においては、紫外線ＬＥＤの仕様等に合わせて紫外線ＬＥＤを駆動させるために必要な電流並びに電圧が得られるように設計する。その際、紫外線ＬＥＤ１３が確実に駆動されるような電源電圧（出力電圧）と、順方向電流Ｉｆを決定し、紫外線ＬＥＤ１３の順方向電圧Ｖｆを製品の仕様等から電流検出用抵抗器３０の抵抗値を決定する。このため、通常であれば出力電圧Ｖｏｕｔは一定値に固定することとなる。そして、紫外線ＬＥＤ１３に供給される電力は光に変換されるが、光に変換されない電力は熱に変換されることとなる。つまり、出力電圧と順方向電圧との差が大きくなり、その差が発熱として生じることとなる。
【００３２】
そこで、本例の制御部２４は、電流調整部２６で検出された電流検出用抵抗器３０に流れる電流Ｉｒと電流検出用抵抗器３０の既知の抵抗値とから電流検出用抵抗器３０に供給される電圧Ｖｒを算出する。そして制御部２４は、順方向電圧Ｖｆと、電流検出用抵抗器３０に供給される電圧Ｖｒと、予め実験によって得られる補正値ΔＶとの和をＤＣ−ＤＣ部２５に対する出力電圧Ｖｏｕｔ（Ｖｏｕｔ＝Ｖｆ＋Ｖｒ＋ΔＶ）と設定する。なお、駆動開始時のＤＣ−ＤＣ部２５に設定する出力電圧Ｖｏｕｔは、予め決められた初期出力電圧Ｖｓｔを設定する。ここで初期出力電圧Ｖｓｔは、ＤＣ−ＤＣ部２５が出力可能な出力電圧Ｖｏｕｔの最大値（最大出力電圧）が設定されており、紫外線照射装置１の仕様範囲において紫外線ＬＥＤ１３の順方向電流Ｉｆ（出力パワー）を最大にした際の電圧値Ｖｍａｘと、後述する電流検出用抵抗器３０における電圧Ｖｒの和よりも高い電圧値が設定されている。これによって初期出力電圧Ｖｓｔによって紫外線ＬＥＤ１３が電圧不足で点灯しないということが抑えられている。
【００３３】
制御部２４に接続される表示部２８は、ユーザに対して各種情報を表示するためのものである。
また、制御部２４には記憶部３１が接続されており、例えば照射パワー（出力パワー）と照射時間を多段階に設定可能となっている。つまり、照射パワーが異なるステップを複数組み合わせて実行することが可能となっている。これらの設定は操作部２７を用いて設定することが可能となっており、その設定情報は記憶部３１に記憶されるようになっている。
【００３４】
次に、紫外線照射装置１の動作例（作用）を主に図４及び図５を用いて説明する。
先ず、予めユーザが操作部２７を用いて、出力パワーの設定並びに各出力パワーでの照射時間を設定する。以下の説明では、第１ステップとして出力パワーを２０％、照射時間を２秒間と設定し、次の第２ステップとして出力パワーを０％、照射時間を３秒間と設定し、次の第３ステップとして出力パワーを８０％、照射時間を３秒間と設定した場合を想定して説明する。なお、これらの設定は、操作部２７に限らず、プログラマブルコントローラやパーソナルコンピュータ等の外部機器によって設定する方法も採用することができる。
【００３５】
ユーザが前記設定をした後、操作部２７の内の駆動ボタン（図示略）を操作すると、制御部２４は、前述の設定に基づいて動作を開始する。
先ず、制御部２４は、電流調整部２６に対して設定電流Ｉを設定するとともに、ＤＣ−ＤＣ部２５に対して出力電圧Ｖｏｕｔを設定する。
【００３６】
制御部２４は、図４に示すように、第１ステップ開始タイミングｔ０において、２０％の出力パワーに相当する設定電流Ｉを電流調整部２６に対して設定する。また、制御部２４は、照射開始タイミングｔ０において、ＤＣ−ＤＣ部２５に対して出力電圧Ｖｏｕｔを設定する。タイミングｔ０における出力電圧Ｖｏｕｔは出力電圧Ｖｏｕｔの内で最大の初期出力電圧Ｖｓｔが設定される。
【００３７】
電流調整部２６は、電流検出用抵抗器３０の電流Ｉｒが設定電流Ｉとなるようにスイッチング素子２９を制御する。また、ＤＣ−ＤＣ部２５は、設定された出力電圧Ｖｏｕｔとなるように動作する。
【００３８】
次いで、制御部２４は、所定周期毎（例えば５０ｍ秒毎）に紫外線ＬＥＤ１３の順方向電圧Ｖｆと電流検出用抵抗器３０に供給される電圧Ｖｒと、予め実験によって得られる補正値ΔＶとの和をＤＣ−ＤＣ部２５に出力電圧Ｖｏｕｔと設定する。これにより、図５に示すように出力電圧Ｖｏｕｔと順方向電圧Ｖｆとの差が経過時間とともに小さくなり無駄な電圧供給が抑えられて発熱が抑えられることとなる。
【００３９】
次いで、制御部２４は、第１ステップから第２ステップに切り替わるタイミングｔ１において、出力パワーが０％に相当する設定電流Ｉを電流調整部２６に対して設定する。このとき、出力パワーが０％であるため設定電流Ｉも０Ａである。また、ＤＣ−ＤＣ部２５から供給される出力電圧Ｖｏｕｔも０Ｖである。すなわち、第２ステップにおいて紫外線ＬＥＤ１３への電力供給（電流供給）が行われず、非点灯状態となる。
【００４０】
次いで、制御部２４は、第２ステップから第３ステップに切り替わるタイミングｔ２において、８０％の出力パワーに相当する設定電流Ｉを電流調整部２６に対して設定する。また、制御部２４は、タイミングｔ２において、ＤＣ−ＤＣ部２５に対して出力電圧Ｖｏｕｔを設定する。タイミングｔ０における出力電圧Ｖｏｕｔは出力電圧Ｖｏｕｔの内で最大の初期出力電圧Ｖｓｔが設定される。
【００４１】
電流調整部２６は、電流検出用抵抗器３０の電流Ｉｒが設定電流Ｉとなるようにスイッチング素子２９を制御する。また、ＤＣ−ＤＣ部２５は、設定された出力電圧Ｖｏｕｔとなるように動作する。
【００４２】
次いで、制御部２４は、所定周期毎（例えば５０ｍ秒毎）に紫外線ＬＥＤ１３の順方向電圧Ｖｆと電流検出用抵抗器３０に供給される電圧Ｖｒと、予め実験によって得られる補正値ΔＶとの和をＤＣ−ＤＣ部２５に出力電圧Ｖｏｕｔと設定する。
【００４３】
次いで、制御部２４は、第３ステップの終了タイミングｔ３において、設定電流Ｉ並びに出力電圧Ｖｏｕｔを０として紫外線ＬＥＤ１３への電力供給（電流供給）を停止して動作を終了する。
【００４４】
次に、本実施形態の効果を記載する。
（１）ＤＣ−ＤＣ部２５は、制御部２４の制御に基づいて紫外線ＬＥＤ１３に供給される電流に基づいて紫外線ＬＥＤ１３に供給する電圧を調整するため、紫外線ＬＥＤ１３に供給する電圧Ｖｏｕｔが固定値とならずに可変される。つまり、紫外線ＬＥＤ１３に供給される電流が低いほど紫外線ＬＥＤ１３に供給する電圧を低くすることで無駄な電圧供給が抑えられるため、発熱が抑えられる。
【００４５】
（２）照射ユニット１１がコントローラユニット２１に対して着脱可能に構成されるため、ピーク波長が異なる紫外線ＬＥＤ１３を利用したりケーブルＣの長さが異なるものを利用することができる。ここで、紫外線ＬＥＤ１３のピーク波長の違いによる順方向電圧Ｖｆの差異やケーブル長の違いによる抵抗値の違いが生じることとなる。しかしながら、前述したように紫外線ＬＥＤ１３に供給する出力電圧Ｖｏｕｔを変動させることとなるため、前述した順方向電圧Ｖｆの差異や抵抗値の違いに対応した出力電圧Ｖｏｕｔを供給することができるため、ピーク波長が異なる紫外線ＬＥＤ１３を利用した照射ユニット１１やケーブルＣの長さが異なった照射ユニット１１を用いた場合でも発熱を抑えることができる。
【００４６】
（３）ここで、上記構成の紫外線照射装置１では、１つのコントローラユニット２１に１つの照射ユニット１１が接続される構成である。このため、コントローラユニット２１は、複数のヘッドを１つのコントローラユニットに接続する構成と比較してコントローラユニット２１全体の大きさを小型化することができる。これに伴い、コントローラユニット２１内の空間は狭くなることとなり、発熱を抑えることがより望まれている。そこで、制御部２４によって測定された紫外線ＬＥＤ１３の順方向電圧Ｖｆに応じて紫外線ＬＥＤ１３への出力電圧Ｖｏｕｔを調整するため、紫外線ＬＥＤ１３に供給する出力電圧Ｖｏｕｔが固定値とならずに可変される。つまり、紫外線ＬＥＤ１３に供給される電圧が低いほど紫外線ＬＥＤ１３に供給する電圧を低くすることで無駄な電圧供給が抑えられるため、発熱が抑えられる。
【００４７】
（４）予め決められた初期出力電圧Ｖｓｔを基準とすることで初期時の出力電圧Ｖｏｕｔを他の計測値等から算出して決定する必要が無いため、ＣＰＵ等からなる制御部２４への負担を抑えることができる。
【００４８】
（５）初期出力電圧Ｖｓｔは、紫外線ＬＥＤ１３の出力パワーが最大時の順方向電圧Ｖｆ（Ｖｍａｘ）と電流検出用抵抗器３０の両端電圧Ｖｒの和より高い電圧値であるため、紫外線ＬＥＤ１３に供給される電圧が不足することが抑えられるため紫外線ＬＥＤ１３を確実に点灯させることができる。
【００４９】
（６）初期出力電圧ＶｓｔがＤＣ−ＤＣ部２５の最大出力電圧であるため、細かい制御を不要として電圧供給することができる。
なお、上記実施形態は、以下のように変更してもよい。
【００５０】
・上記実施形態では１つのコントローラユニット２１に対して１つの照射ユニット１１（ヘッド）が接続される構成を採用したが、これに限らない。例えば１つのコントローラユニットに対して複数の照射ユニットが接続される構成を採用してもよい。このような構成においては、コントローラユニット内に各ヘッドに対応するような駆動回路を複数備える構成や、１つの駆動回路を切り換えて利用する構成を採用することができる。
【００５１】
・上記実施形態では、０％のステップを除く各ステップの開始時における初期出力電圧Ｖｓｔを、紫外線ＬＥＤ１３の出力パワーが最大時の順方向電圧Ｖｆ（電圧値＝Ｖｍａｘ）と電流検出用抵抗器３０の両端電圧Ｖｒの和より高い電圧値としたが、これに限らない。
【００５２】
例えば、図６に示すように、出力パワーに応じた電流値（順方向電流Ｉｆ）と、その際の出力電圧Ｖｏｕｔとの関係のメモリテーブルＴを予め記憶部３１に記憶させ、メモリテーブルＴを参照して出力電圧Ｖｏｕｔを決定（設定）するようにしてもよい。
【００５３】
また、出力パワーに応じた電流値（順方向電流Ｉｆ）と、その際の出力電圧Ｖｏｕｔとの相関関係から順方向電圧Ｖｆに対して係数αを乗算して出力電圧Ｖｏｕｔを決定（設定）するようにしてもよい。
【００５４】
・上記実施形態では各ステップの間、所定間隔毎（例えば５０μ秒毎）に順方向電圧Ｖｆを検出することとしたが、これに限らない。例えば、各ステップの開始から所定期間のみ所定間隔毎に順方向電圧Ｖｆを検出する構成を採用してもよい。また、各ステップの開始から出力電圧Ｖｏｕｔと順方向電圧Ｖｆとの差が閾値である所定値以下となるまで順方向電圧Ｖｆを検出する構成を採用してもよい。
【００５５】
・上記実施形態では、電流検出用抵抗器３０に供給される電圧Ｖｒは、計測された電流Ｉｒ（＝順方向電流Ｉｆ）と電流検出用抵抗器３０の抵抗値との積によって算出される算出値（計算値）を用いることとしたが、これに限らない。つまり、電流検出用抵抗器３０に印加される電圧Ｖｒを測定し、その測定値を用いる構成を採用してもよい。このような構成とすることで、電流検出用抵抗器３０の理論上の抵抗値と実際の抵抗値との誤差に影響されない。つまり、電流検出用抵抗器３０の両端の電圧Ｖｒも計測することで電流検出用抵抗器３０の仕様範囲内における抵抗値の誤差に左右されることがなくなるため、より正確な電圧Ｖｒを測定することができる。
【００５６】
・上記実施形態では、コントローラユニット２１内に紫外線ＬＥＤ１３と電気的に接続されて紫外線ＬＥＤ１３に供給される電流を検出するための電流検出用抵抗器３０を備える構成としたが、これに限らず、例えば照射ユニット１１内に電流検出用抵抗器３０を備える構成を採用してもよい。
【００５７】
・上記実施形態では、出力パワーを０％の期間を設定可能な構成としたが、これに限らず、電力オフ期間や照射オフ期間を設定可能な構成を採用してもよい。
・上記実施形態では、ｔ１〜ｔ２の期間において出力パワーを０％として紫外線ＬＥＤ１３から間欠的に紫外線を照射する構成としたが、これに限らない。
【００５８】
図７に示すように、ｔ１〜ｔ２の期間においても出力パワーを０％よりも大きい（例えば５０％に）設定して、紫外線ＬＥＤ１３から多段階で出力パワーが徐々に大きくなるように紫外線を照射する構成を採用してもよい。
【００５９】
また、図８に示すように紫外線ＬＥＤ１３から出力パワーが徐々に小さくなるように紫外線を照射する構成を採用してもよい。このように紫外線ＬＥＤ１３の出力パワーの変化時において紫外線ＬＥＤの出力パワーが下がる場合には、出力パワーの変化前における出力電圧Ｖｏｕｔを、出力パワー変化後の初期出力電圧Ｖｓｔとして用いるようにしてもよい。これにより、出力パワー変化後における出力電圧供給手段の初期出力電圧が出力電圧供給手段の最大出力電圧と比べて紫外線ＬＥＤの順方向電圧と近い電圧値であるため、より発熱を抑えることができる。
【００６０】
・上記実施形態並びに上記各変形例は適宜組み合わせてもよい。
次に、上記実施の形態及び別例から把握できる技術的思想を以下に追記する。
（付記１）請求項１〜８のいずれか一項に記載の紫外線照射装置において、
前記電流検出用抵抗器は、前記コントローラ内に設けられることを特徴とする紫外線照射装置。
【００６１】
これにより、ヘッド側に熱源となり得る電流検出用抵抗器が設けられないため、ヘッド側の温度上昇を抑えることができ、紫外線ＬＥＤの出力低下を抑えることができる。
【符号の説明】
【００６２】
１…紫外線照射装置、１１…照射ユニット（ヘッド）、１３…紫外線ＬＥＤ、２１…コントローラユニット（コントローラ）、２４…制御部（電圧測定手段、パワー設定手段及び出力電圧供給手段）、２５…ＤＣ−ＤＣ部（出力電圧供給手段）、２６…電流調整部（電流調整手段）、２７…操作部（パワー設定手段）、２９…スイッチング素子（電流調整手段）、３０…電流検出用抵抗器、Ｃ…接続ケーブル。
【図１】
2019029529.tif 000003
【図２】
2019029529.tif 000004
【図３】
2019029529.tif 000005
【図４】
2019029529.tif 000006
【図５】
2019029529.tif 000007
【図６】
2019029529.tif 000008
【図７】
2019029529.tif 000009
【図８】
2019029529.tif 000010